(57)【要約】【課題】検出器の劣化に関わらず弁別を好適に行い、作業者が適切な波高分布であることを判断し易い中性子捕捉療法システム、及び中性子線検出装置を提供する。【解決手段】波高分布調整部２３は、波高分布における中性子線Ｎによるピークを検出し、ピークにおける波高μが予め定めた範囲から外れた場合、ピークにおける波高μ１が予め定めた範囲内となるように、波高分布全体をエネルギー方向に拡大又は縮小して調整する。また、調整後の波高分布において、判定閾値ｘ０を超えた波高の検出信号を中性子線Ｎに関する信号として弁別する。これにより、中性子線Ｎを検出する中性子線検出器１２の劣化などによってピークにおける波高μがずれた場合であっても、波高分布調整部２３は、ずれを解消するように波高分布を調整することができる。【選択図】図３
2019154989.tif 000002
【特許請求の範囲】
【請求項１】
被照射体に中性子線を照射する中性子線照射装置と、
前記中性子線を検出する中性子線検出装置と、
情報を表示する表示部と、を備える中性子捕捉療法システムであって、
前記中性子線検出装置は、
放射線が入射すると光を発生させるシンチレータと、
前記シンチレータで発生した前記光を伝送する光ファイバーと、
前記光ファイバーによって伝送された前記光を受光し、受光した前記光に関する検出信号の波高が判定閾値を超えた場合に、前記検出信号を前記中性子線に関する信号として弁別する弁別部と、を備え、
前記弁別部は、
波高分布における前記中性子線によるピークを検出し、
前記ピークにおける波高が予め定めた範囲から外れた場合、前記ピークにおける波高が予め定めた範囲内となるように、波高分布全体をエネルギー方向に拡大又は縮小して調整し、
調整後の波高分布において、前記判定閾値を超えた波高の前記検出信号を前記中性子線に関する信号として弁別し、
前記表示部は、調整後の前記波高分布を表示する、中性子捕捉療法システム。
【請求項２】
前記弁別部は、前記ピークにおける波高と前記判定閾値との差分が予め定めた範囲から外れた場合、前記差分が予め定めた範囲内となるように、波高分布全体をエネルギー方向に拡大又は縮小して調整する、請求項１に記載の中性子捕捉療法システム。
【請求項３】
前記中性子線を検出する中性子線検出装置であって、
放射線が入射すると光を発生させるシンチレータと、
前記シンチレータで発生した前記光を伝送する光ファイバーと、
前記光ファイバーによって伝送された前記光を受光し、受光した前記光に関する検出信号の波高が判定閾値を超えた場合に、前記検出信号を前記中性子線に関する信号として弁別する弁別部と、を備え、
前記弁別部は、
波高分布における前記中性子線によるピークを検出し、
前記ピークにおける波高が予め定めた範囲から外れた場合、前記ピークにおける波高が予め定めた範囲内となるように、波高分布全体をエネルギー方向に拡大又は縮小して調整し、
調整後の波高分布において、判定閾値を超えた波高の前記検出信号を前記中性子線に関する信号として弁別する、中性子線検出装置。
【発明の詳細な説明】
【技術分野】
【０００１】
本発明は、中性子捕捉療法システム、及び中性子線検出装置に関する。
【背景技術】
【０００２】
中性子線とガンマ線とを弁別する技術として特許文献１に記載の技術がある。特許文献１に係るシステムでは、検出した信号の波高分布から中性子線による信号とガンマ線による信号とを弁別している。このシステムは、所定の判定閾値を設定し、検出した信号のうち、波高が判定閾値を超えたものを中性子線に関する信号として弁別している。また、このシステムは、検出器が劣化することで波高分布が低エネルギー側へ移動しても、判定閾値を設定し直すことで、弁別を好適に行っている。
【先行技術文献】
【特許文献】
【０００３】
【特許文献１】国際公開第２０１４／１９２３２１号
【発明の概要】
【発明が解決しようとする課題】
【０００４】
上述のシステムによれば、同じ中性子場であっても検出器によって検出される波高分布が検出器の劣化によって変化する。従って、上述のシステムは、弁別を好適に行うことはできるものの、作業者にとって、波高分布が適切であるかを判断し難い。また、検出器の動作が安定しない場合には、一時的に波高分布が安定せず、エネルギー方向にずれることがある。
【０００５】
従って、本発明は、検出器の劣化に関わらず弁別を好適に行い、作業者が適切な波高分布であることを判断し易い中性子捕捉療法システム、及び中性子線検出装置を提供することを目的とする。
【課題を解決するための手段】
【０００６】
本発明に係る中性子捕捉療法システムは、被照射体に中性子線を照射する中性子線照射装置と、中性子線を検出する中性子線検出装置と、情報を表示する表示部と、を備える中性子捕捉療法システムであって、中性子線検出装置は、放射線が入射すると光を発生させるシンチレータと、シンチレータで発生した光を伝送する光ファイバーと、光ファイバーによって伝送された光を受光し、受光した光に関する検出信号の波高が判定閾値を超えた場合に、検出信号を中性子線に関する信号として弁別する弁別部と、を備え、弁別部は、波高分布における中性子線によるピークを検出し、ピークにおける波高が予め定めた範囲から外れた場合、ピークにおける波高が予め定めた範囲内となるように、波高分布全体をエネルギー方向に拡大又は縮小して調整し、調整後の波高分布において、判定閾値を超えた波高の検出信号を中性子線に関する信号として弁別し、表示部は、調整後の波高分布を表示する。
【０００７】
この中性子捕捉療法システムでは、弁別部が、受光したシンチレータからの光に関する検出信号の波高が判定閾値を超えた場合に、検出信号を中性子線に関する信号と弁別する。弁別部は、波高分布における中性子線によるピークを検出し、ピークにおける波高が予め定めた範囲から外れた場合、ピークにおける波高が予め定めた範囲内となるように、波高分布全体をエネルギー方向に拡大又は縮小して調整する。また、調整後の波高分布において、判定閾値を超えた波高の検出信号を中性子線に関する信号として弁別する。これにより、中性子線を検出する検出器の劣化などによってピークにおける波高がずれた場合であっても、弁別部は、ずれを解消するように波高分布を調整することができる。従って、弁別部は、中性子線を検出する検出器の劣化状態によらず、正確に弁別を行うことができる。また、表示部は、調整後の波高分布を表示する。作業者は、検出器の劣化によるずれを解消された状態の波高分布を確認することができる。以上により、検出器の劣化に関わらず弁別を好適に行い、作業者が適切な波高分布であることを判断し易くなる。
【０００８】
中性子捕捉療法システムにおいて、弁別部は、ピークにおける波高と判定閾値との差分が予め定めた範囲から外れた場合、差分が予め定めた範囲内となるように、波高分布全体をエネルギー方向に拡大又は縮小して調整してよい。このように、弁別部が差分を用いて判定を行うことで、波高値のベースラインシフト（すなわちノイズ）の影響を受けることを低減できる。例えば、検出信号にノイズが乗った場合、検出される波高値はノイズによる波高値の分が加算された物となる。すなわち、波高分布全体がノイズによる波高値の分だけ高エネルギー側にシフトする。従って、弁別部が差分を用いて判定を行う場合、ノイズによる波高値をキャンセルした上で判定を行うことができる。
【０００９】
本発明に係る中性子線検出装置は、中性子線を検出する中性子線検出装置であって、放射線が入射すると光を発生させるシンチレータと、シンチレータで発生した光を伝送する光ファイバーと、光ファイバーによって伝送された光を受光し、受光した光に関する検出信号の波高が判定閾値を超えた場合に、検出信号を中性子線に関する信号として弁別する弁別部と、を備え、弁別部は、波高分布における中性子線によるピークを検出し、ピークにおける波高が予め定めた範囲から外れた場合、ピークにおける波高が予め定めた範囲内となるように、波高分布全体をエネルギー方向に拡大又は縮小して調整し、調整後の波高分布において、判定閾値を超えた波高の検出信号を中性子線に関する信号として弁別する。
【００１０】
この中性子線検出装置によれば、上述の中性子捕捉療法システムと同様の作用・効果を得ることができる。
【発明の効果】
【００１１】
本発明によれば、検出器の劣化に関わらず弁別を好適に行い、作業者が適切な波高分布であることを判断し易い中性子捕捉療法システム、及び中性子線検出装置を提供することができる。
【図面の簡単な説明】
【００１２】
【図１】本発明の一実施形態の中性子線検出装置を備えた中性子捕捉療法システムを示す概略図である。
【図２】コリメータに設けられた中性子線検出器を示す断面図である。
【図３】中性子線検出装置を示すブロック図である。
【図４】中性子線検出器の劣化前と劣化後の波高分布を示すグラフである。
【図５】調整された波高分布及び比較例に係る波高分布を示すグラフである。
【発明を実施するための形態】
【００１３】
以下、本発明の好適な実施形態について、図面を参照して詳細に説明する。
【００１４】
図１に示される中性子捕捉療法システム１５０は、中性子捕捉療法装置（中性子線照射装置）１と、中性子線検出装置１００と、表示部３１と、入力部３２と、を備える。ここでは、まず中性子捕捉療法装置１について説明する。中性子捕捉療法装置１は、ホウ素中性子捕捉療法（ＢＮＣＴ：Boron Neutron Capture Therapy）を用いたがん治療を行う装置である。中性子捕捉療法装置１では、例えばホウ素（１０Ｂ）が投与された患者（被照射体）５０の腫瘍に中性子線Ｎを照射する。
【００１５】
中性子捕捉療法装置１は、サイクロトロン２を備えている。サイクロトロン２は、陰イオン等の荷電粒子を加速して、荷電粒子線Ｒを作り出す加速器である。本実施形態において、荷電粒子線Ｒは陰イオンから電荷を剥ぎ取って生成した陽子ビームである。このサイクロトロン２は、例えば、ビーム半径４０ｍｍ、６０ｋＷ（＝３０ＭｅＶ×２ｍＡ）の荷電粒子線Ｒを生成する能力を有している。なお、加速器は、サイクロトロンに限られず、シンクロトロンやシンクロサイクロトロン、ライナックなどであってもよい。
【００１６】
サイクロトロン２から出射された荷電粒子線Ｒは、中性子線生成部Ｍへ送られる。中性子線生成部Ｍは、ビームダクト３とターゲット７とからなる。サイクロトロン２から出射された荷電粒子線Ｒは、ビームダクト３を通り、ビームダクト３の端部に配置されたターゲット７へ向かって進行する。このビームダクト３に沿って複数の四極電磁石４、電流モニタ５、及び走査電磁石６が設けられている。複数の四極電磁石４は、例えば電磁石を用いて荷電粒子線Ｒのビーム軸調整を行うものである。
【００１７】
電流モニタ５は、ターゲット７に照射される荷電粒子線Ｒの電流値（つまり、電荷，照射線量率）をリアルタイムで検出するものである。電流モニタ５は、荷電粒子線Ｒに影響を与えずに電流測定可能な非破壊型のＤＣＣＴ（DC Current Transformer）が用いられている。電流モニタ５は、検出結果を後述する制御部２０に出力する。なお、「線量率」とは、単位時間当たりの線量を意味する。
【００１８】
具体的には、電流モニタ５は、ターゲット７に照射される荷電粒子線Ｒの電流値を精度よく検出するため、四極電磁石４による影響を排除すべく、四極電磁石４より下流側（荷電粒子線Ｒの下流側）で走査電磁石６の直前に設けられている。すなわち、走査電磁石６はターゲット７に対して常時同じところに荷電粒子線Ｒが照射されないように走査するため、電流モニタ５を走査電磁石６よりも下流側に配設するには大型の電流モニタ５が必要となる。これに対し、電流モニタ５を走査電磁石６よりも上流側に設けることで、電流モニタ５を小型化することができる。
【００１９】
走査電磁石６は、荷電粒子線Ｒを走査し、ターゲット７に対する荷電粒子線Ｒの照射制御を行うものである。この走査電磁石６は、荷電粒子線Ｒのターゲット７に対する照射位置を制御する。
【００２０】
中性子捕捉療法装置１は、荷電粒子線Ｒをターゲット７に照射することにより中性子線Ｎを発生させ、患者５０に向かって中性子線Ｎを出射する。中性子捕捉療法装置１は、ターゲット７、遮蔽体９、減速材８、コリメータ１０、ガンマ線検出部１１を備えている。
【００２１】
また、中性子捕捉療法装置１は、制御部２０を備えている。制御部２０は、ＣＰＵ[Central  Processing  Unit]、ＲＯＭ[Read  Only  Memory]、ＲＡＭ[Random  Access  Memory]等から構成されており、中性子捕捉療法装置１を総合的に制御する電子制御ユニットである。制御部２０の詳細な構成については後述する。
【００２２】
ターゲット７は、荷電粒子線Ｒの照射を受けて中性子線Ｎを生成するものである。ここでのターゲット７は、例えば、ベリリウム（Ｂｅ）やリチウム（Ｌｉ）、タンタル（Ｔａ）、タングステン（Ｗ）により形成され、例えば直径１６０ｍｍの円板状を成している。なお、ターゲット７は、円板状に限らず、他の形状であってもよい。また、ターゲット７は固体状に限らず液体状であってもよい。
【００２３】
減速材８は、ターゲット７で生成された中性子線Ｎのエネルギーを減速させるものである。減速材８は、中性子線Ｎに含まれる速中性子を主に減速させる第１の減速材８Ａと、中性子線Ｎに含まれる熱外中性子を主に減速させる第２の減速材８Ｂと、からなる積層構造を有している。
【００２４】
遮蔽体９は、発生させた中性子線Ｎ、及び当該中性子線Ｎの発生に伴って生じたガンマ線等を外部へ放出されないよう遮蔽するものである。遮蔽体９は、減速材８を囲むように設けられている。遮蔽体９の上部及び下部は、減速材８より荷電粒子線Ｒの上流側に延在しており、これらの延在部にガンマ線検出部１１が設けられている。
【００２５】
コリメータ１０は、中性子線Ｎの照射野を整形するものであり、中性子線Ｎが通過する開口１０ａを有する。コリメータ１０は、例えば中央に開口１０ａを有するブロック状の部材である。
【００２６】
ガンマ線検出部１１は、荷電粒子線Ｒの照射により中性子線生成部Ｍから発生するガンマ線をリアルタイムで検出するものである。ガンマ線検出部１１としては、シンチレータや電離箱、その他様々なガンマ線検出機器を採用することができる。本実施形態において、ガンマ線検出部１１は、ターゲット７の周囲で減速材８より荷電粒子線Ｒの上流側に設けられている。
【００２７】
ガンマ線検出部１１は、荷電粒子線Ｒの上流側に延在する遮蔽体９の上部及び下部の内側にそれぞれ配置されている。なお、ガンマ線検出部１１の数は特に限定されず、一つであってもよく、三つ以上であってもよい。ガンマ線検出部１１を三つ以上設けるときは、ターゲット７の外周を囲むように所定間隔で設けることができる。ガンマ線検出部１１は、ガンマ線の検出結果を制御部２０に出力する。このガンマ線検出部１１を備えていない構成でもよい。
【００２８】
次に、本実施形態に係る中性子線検出装置１００の構成について、図２及び図３を参照して説明する。
【００２９】
図２に示されるように、中性子線検出装置１００は、中性子線検出器１２と、制御部２０と、を備える。また、中性子線検出装置１００の制御部２０は、表示部３１及び入力部３２と、接続されている。
【００３０】
コリメータ１０には、コリメータ１０の開口１０ａを通過する中性子線Ｎをリアルタイムで検出するための中性子線検出器１２が設けられている。中性子線検出器１２は、コリメータ１０に形成された貫通孔１０ｂ（開口１０ａと直交する方向に形成された貫通孔）中に少なくともその一部が設けられている。中性子線検出器１２は、シンチレータ１３、光ファイバー１４、光検出器１５を有している。
【００３１】
シンチレータ１３は、入射した放射線（中性子線Ｎ、ガンマ線）を光に変換する蛍光体である。シンチレータ１３は、入射した放射線の線量に応じて内部結晶が励起状態となり、シンチレーション光を発生させる。シンチレータ１３は、コリメータ１０の貫通孔１０ｂ内に設けられており、コリメータ１０の開口１０ａに露出している。シンチレータ１３は、開口１０ａ内の中性子線Ｎまたはガンマ線がシンチレータ１３に入射することで発光する。シンチレータ１３には、６Ｌｉガラスシンチレータ、ＬｉＣＡＦシンチレータ、６ＬｉＦを塗布したプラスチックシンチレータ、６ＬｉＦ／ＺｎＳシンチレータ等を採用できる。
【００３２】
光ファイバー１４は、シンチレータ１３で生じた光を伝達する部材である。光ファイバー１４は、例えば、フレキシブルな光ファイバーの束などから構成されている。光検出器１５は、光ファイバー１４を通じて伝達された光を検出するものである。光検出器１５としては、例えば光電子増倍管や光電管など各種の光検出機器を採用することができる。光検出器１５は、光検出時に電気信号（検出信号）を制御部２０に出力する。
【００３３】
表示部３１は、使用者に対して各種情報を表示する機器である。表示部３１として、ディスプレイ等が採用される。使用者に入力させたい情報がある場合、表示部３１は、使用者に対して情報の入力を案内する通知を表示する。また、表示部３１は、使用者の入力を受けて制御部２０で演算された結果などを表示する。表示部３１は、中性子線検出器１２の検出信号の波高分布を表示する。入力部３２は、使用者による各種入力がなされる機器である。入力部３２は、キーボード、マウス、タッチスクリーン等によって構成されている。
【００３４】
図３に示されるように、制御部２０は、線量算出部２１と、波高分布調整部２３と、照射制御部２２と、を有している。制御部２０は、電流モニタ５、走査電磁石６、ガンマ線検出部１１及び光検出器１５（中性子線検出器１２）、表示部３１、及び入力部３２と電気的に接続されている。
【００３５】
線量算出部２１は、電流モニタ５による荷電粒子線Ｒの電流値の検出結果に基づいて、ターゲット７に照射される荷電粒子線Ｒの線量をリアルタイムで測定（算出）する。線量算出部２１は、測定された荷電粒子線Ｒの電流値を時間に関して逐次積分し、荷電粒子線Ｒの線量をリアルタイムで算出する。
【００３６】
また、線量算出部２１は、ガンマ線検出部１１によるガンマ線の検出結果に基づいて、ガンマ線の線量をリアルタイムで測定（算出）する。
【００３７】
さらに、線量算出部２１は、中性子線検出器１２による中性子線Ｎの検出結果に基づいて、コリメータ１０の開口１０ａを通過する中性子線Ｎの線量を測定（算出）する。線量算出部２１は、光検出器１５から検出信号を受信し、中性子線に関する信号とガンマ線に関する信号とを弁別する（詳しくは後述する）。線量算出部２１は、波高分布調整部２３によって波高分布の調整がなされた場合、当該調整された波高分布に基づいて弁別を行う。光検出器１５、線量算出部２１、及び波高分布調整部２３は、弁別部を構成する。
【００３８】
線量算出部２１は、算出した荷電粒子線Ｒの線量、ガンマ線の線量、及び中性子線Ｎの線量に基づいて、ターゲット７で発生した中性子線Ｎの線量を総合的にリアルタイムで算出する。中性子線Ｎの線量など線量算出部２１による算出結果は、例えば表示部３１に表示される。
【００３９】
波高分布調整部２３は、検出信号に基づく波高分布を調整する。波高分布調整部２３は、調整後の波高分布を表示部３１へ送信し、当該表示部３１で表示させる。なお、波高分布調整部２３の詳細については、後述する。
【００４０】
照射制御部２２は、線量算出部２１によって算出された中性子線Ｎの線量に基づいて、ターゲット７に対する荷電粒子線Ｒの照射を制御する。照射制御部２２は、サイクロトロン２及び走査電磁石６に指令信号を送信してターゲット７に対する荷電粒子線Ｒの照射を制御することで、ターゲット７から生成される中性子線Ｎの患者に対する照射制御を行う。照射制御部２２は、線量算出部２１の算出する中性子線Ｎの線量が予め設定された治療計画に沿うように中性子線Ｎの照射制御を行う。
【００４１】
次に、弁別部である線量算出部２１及び波高分布調整部２３の機能について、より詳細に説明する。
【００４２】
線量算出部２１は、光検出器１５で受光した光に関する検出信号の波高（光量）が判定閾値ｘ０を超えているか否か判定し、中性子線Ｎによる検出信号と、ガンマ線による検出信号とを弁別する。シンチレータ１３において、放射線として中性子線Ｎ及びガンマ線が入射するので、光量の強さに応じて中性子線Ｎとガンマ線とを弁別する。
【００４３】
図４は、検出信号の波高分布を示すグラフである。図４では、横軸に光検出器１５で受光した光に関する検出信号の波高（光量）を示し、縦軸に検出信号のイベント数（Ｃｏｕｎｔ／ｓ）を示している。線量算出部２１は、波高分布に対してフィッティングを行い、波高分布のピークを検出する。フィッティングのための関数としては、下記式（１）のガウス関数が挙げられる。
【数１】
2019154989.tif 000003
ｘは検出信号の光量を示し、μはピークの位置を示している。
【００４４】
図４（ａ）に示されるように、線量算出部２１は、波高分布において２つ目のピークを中性子線Ｎによるピークとする。ここで、判定閾値ｘ０を求めるための判定閾値計算式は、「ｘ０＝μ−ａσ」と表される。「μ」は中性子線Ｎによるピークのエネルギー方向（グラフにおける横軸方向）の位置、すなわち検出信号の波高を示している。「σ」は、中性子が作る分布の標準偏差を示す。「ａ」は、σに対する係数を示す。すなわち、判定閾値ｘ０は、エネルギー方向における中性子線Ｎによるピークの波高μからａσだけ低い値に設定される。例えば、「ａ＝１．５」に設定され、中性子線Ｎによるピークの波高μから１．５σ低い値が判定閾値ｘ０に設定される。
【００４５】
ここで、中性子捕捉療法装置１を使用することによって、中性子線検出器１２が劣化する。例えば、光ファイバー１４は放射線を受けて劣化し、光の透過率が低下する。光ファイバー１４の光の透過率が低下すると、線量算出部２１で計測される光の光量が低下する。従って、図４に示す波高分布は透過率の低下に応じて低エネルギー側へずれるように縮小される。図４（ａ）は、中性子線検出器１２の劣化前、すなわち初期状態における波高分布を示している。図４（ｂ）は、中性子線検出器１２の劣化後における波高分布を示している。図４（ｂ）に示すように、劣化後の波高分布は、初期状態における波高分布に比して低エネルギー側へずれるように、エネルギー方向において縮小されている。このように、中性子線検出器１２が劣化した場合には、図４（ｂ）に示すような波高分布が、実測の測定値に基づく波高分布となる。従って、以降の説明においては、図４（ｂ）に示す波高分布を「実測による波高分布」と称する場合もある。
【００４６】
なお、図４（ａ）に示すように、初期状態での中性子線Ｎによるピークのエネルギー方向における位置、すなわち波高を「μ０」と示す。また、ピークにおける波高μ０と判定閾値ｘ０との差分を「ｄ０」と示す。一方、図４（ｂ）に示すように、実測に基づく中性子線Ｎによるピークの波高を「μ」と示す。また、ピークにおける波高μと判定閾値ｘ０との差分を「ｄ」と示す。なお、図５（ａ）に示すように、調整後の波高分布において、中性子線Ｎによるピークの波高を「μ１」と示す。また、ピークにおける波高μ１と判定閾値ｘ０との差分を「ｄ１」と示す。
【００４７】
波高分布調整部２３は、中性子線Ｎによるピークにおける波高μが予め定めた範囲から外れた場合、ピークにおける波高μ１が予め定めた範囲内となるように、波高分布全体をエネルギー方向に拡大又は縮小して調整する。波高分布調整部２３は、実測に基づく波高分布でのピークの波高μが予め定めた範囲から外れた場合、調整後の波高分布でのピークの波高μ１が予め定めた範囲内となるように、実測に基づく波高分布全体をエネルギー方向に拡大又は縮小して調整することで、調整後の波高分布を作成する。
【００４８】
ここで、波高分布調整部２３は、中性子線Ｎによるピークにおける波高μが予め定めた範囲から外れたか否かを、ピークにおける波高μと判定閾値ｘ０との差分ｄが予め定めた範囲から外れたか否かを判定することで行ってもよい。すなわち、波高分布調整部２３は、ピークにおける波高μと判定閾値ｘ０との差分ｄが予め定めた範囲から外れた場合、差分ｄ１が予め定めた範囲内となるように、波高分布全体をエネルギー方向に拡大又は縮小して調整する。差分ｄに対して予め定められた範囲は、初期状態における差分ｄ０を基準として低エネルギー側及び高エネルギー側に所定の閾値を定めることで、設定されてよい。差分ｄが低エネルギー側の閾値を下回った場合、又は高エネルギー側の閾値を上回った場合に、波高分布調整部２３は、中性子線Ｎによるピークにおける波高μが予め定めた範囲から外れたと判定してよい。
【００４９】
波高分布調整部２３の具体的な処理内容の一例について説明する。波高分布調整部２３は、線量算出部２１が式（１）を用いて実測に基づく波高分布に対するフィッティングにより得られたピークの波高μ、及び標準偏差σを取得する。次に、波高分布調整部２３は、ピークにおける波高μと判定閾値ｘ０との差分ｄが予め定めた範囲から外れたか否かを判定する。図４（ｂ）に示すように、波高分布が低エネルギー側へずれるように縮小されることで、波高分布調整部２３が差分ｄが予め定めた範囲から外れたと判定した場合、波高分布調整部２３は、波高分布の調整を行う。
【００５０】
波高分布調整部２３は、以下の式（２）の関係が満たされるように、調整パラメータｂを決定する。調整パラメータｂを用いることで、実測に基づく波高分布の値と調整後の波高分布の値との間には、式（３），（４）の関係が成り立つ。式（２）〜（４）の連立方程式よりｂを演算することで、調整パラメータｂは式（５）のように示される。波高分布調整部２３は、式（５）に対して判定閾値ｘ０、実測に基づく波高分布のピークの波高μ、及び実測に基づく波高分布の標準偏差σを代入することで、調整パラメータｂを演算する。
ｘ０＝μ１  −  ａσ１  …（２）
μ１＝ｂμ  …（３）
σ１＝ｂσ  …（４）
ｂ＝ｘ０／（μ−ａσ）  …（５）
【００５１】
波高分布調整部２３は、調整パラメータｂを用いて次のような演算を行うことにより、波高分布を調整する。例えば、劣化後の波高分布をｙ＝ｆ（ｘ）と表すならば、調整後の波高分布をｙ＝ｆ（ｂｘ）となるようにする。すなわち、波高分布調整部２３は、波高値をｂ倍にしつつ、イベント数を同じ値とすることによって、劣化前の波高分布と等しくする。これにより、波高分布調整部２３は、実測に基づく波高分布のピークが高エネルギー側へずれるように当該波高分布を拡大する。調整後の波高分布を図５（ａ）に示す。調整後の波高分布のピークの波高μ１は、劣化前の波高分布のピークの波高μ０と等しくなる。なお、劣化が十分に遅い場合は、波高分布を解析して一度ｂの値を決めておけば、毎回ｂの値を計算しなくとも、弁別が可能となる。すなわち、検出器が入ってくる波高値をｂ倍し、ｂ倍した後の値が判定閾値ｘ０以上であれば、当該検出信号は中性子に起因するものであることを判定できる。例えば、劣化は徐々に起きるが、観測可能なレベルまで検出器が劣化するのに１０分かかるとした場合、１０分に１回の頻度でｂを計算し、計算後から１０分の間は同じｂの値を使用することもできる。この場合、波高分布を毎度調整する方法に比して、演算量を少なくすることができ、リアルタイム性を向上できる。
【００５２】
なお、調整後の波高分布のピークの波高μ１は、劣化前の波高分布のピークの波高μ０と完全に等しくならなくともよく、波高μ０から予め定めた範囲内に収まっていればよい。例えば、波高分布調整部２３が中性子線Ｎによるピークにおける波高μが予め定めた範囲から外れたか否かを判定するための閾値の範囲内に、ピークの波高μ１が収まるようにしてよい。また、上述の説明においては、劣化に伴って初期状態よりも波高分布が低エネルギー側へ縮小する場合に、波高分布調整部２３が、高エネルギー側へ拡大するように波高分布を調整した。これに対し、所定の理由により、初期状態よりも波高分布が高エネルギー側へ拡大する場合に、波高分布調整部２３が、低エネルギー側へ縮小するように波高分布を調整してもよい。
【００５３】
以上により、中性子線検出器１２が劣化した場合であっても、線量算出部２１は、劣化前と同等の波高分布に基づき、劣化前と同じ判定閾値ｘ０を用いて弁別を行うことができる。また、表示部３１は、調整後の波高分布を表示する。従って、表示部３１に表示される波高分布は、中性子線検出器１２の劣化の状態に関わらず、劣化前と同等の波高分布が示される。
【００５４】
次に、本実施形態に係る中性子捕捉療法システム１５０、及び中性子線検出装置１００の作用・効果について説明する。
【００５５】
まず、比較例に係る中性子線捕捉療法システムについて説明する。比較例に係る中性子線捕捉療法システムの線量算出部２１は、所定インターバル時間ごとに判定閾値を変更（調整）する。線量算出部２１は、判定閾値を変更するためのインターバル時間を設定し、このインターバル時間内に受光した光に関する検出信号の波高に基づいて波高分布を作成し、この波高分布に基づいて判定閾値を変更する。中性子線検出器１２の劣化に伴って波高分布がずれたとき、線量算出部２１は、インターバル時間における波高分布にガウス関数をフィッティングして中性子線Ｎによるピークを設定し、このピークからａσ低い値を新たな判定閾値ｘ１に設定する（図５（ｂ）参照）。線量算出部２１は、新たな判定閾値ｘ１に基づいて、中性子線Ｎによる検出信号とガンマ線による検出信号とを弁別する。比較例に係る中性子線捕捉療法システムによれば、初期状態とは異なる波高分布が表示部３１に表示されるため、弁別を好適に行うことはできるものの、作業者にとって、波高分布が適切であるかを判断し難い。また、中性子線検出器１２の動作が安定しない場合には、一時的に波高分布が安定せず、エネルギー方向にずれることがある。
【００５６】
一方、本実施形態に係る中性子捕捉療法システム１５０では、線量算出部２１が、受光したシンチレータからの光に関する検出信号の波高が判定閾値ｘ０を超えた場合に、検出信号を中性子線に関する信号と弁別する。波高分布調整部２３は、波高分布における中性子線Ｎによるピークを検出し、ピークにおける波高μが予め定めた範囲から外れた場合、ピークにおける波高μ１が予め定めた範囲内となるように、波高分布全体をエネルギー方向に拡大又は縮小して調整する。また、調整後の波高分布において、判定閾値ｘ０を超えた波高の検出信号を中性子線Ｎに関する信号として弁別する。これにより、中性子線Ｎを検出する中性子線検出器１２の劣化などによってピークにおける波高μがずれた場合であっても、波高分布調整部２３は、ずれを解消するように波高分布を調整することができる。従って、線量算出部２１は、中性子線Ｎを検出する中性子線検出器１２の劣化状態によらず、正確に弁別を行うことができる。また、表示部３１は、調整後の波高分布を表示する。作業者は、中性子線検出器１２の劣化によるずれを解消された状態の波高分布を確認することができる。以上により、中性子線検出器１２の劣化に関わらず弁別を好適に行い、作業者が適切な波高分布であることを判断し易くなる。なお、図５（ｂ）のハッチングで示す領域、すなわち判定閾値ｘ０よりも高エネルギー側の領域の面積が、図５（ａ）のハッチングで示す領域、すなわち判定閾値ｘ１よりも高エネルギー側の領域の面積と等しくなる。
【００５７】
中性子捕捉療法システム１５０において、波高分布調整部２３は、ピークにおける波高μと判定閾値ｘ０との差分が予め定めた範囲から外れた場合、差分が予め定めた範囲内となるように、波高分布全体をエネルギー方向に拡大又は縮小して調整してよい。このように、波高分布調整部２３が差分を用いて判定を行うことで、波高値のベースラインシフト（すなわちノイズ）の影響を受けることを低減できる。例えば、検出信号にノイズが乗った場合、検出される波高値はノイズによる波高値の分が加算された物となる。すなわち、波高分布全体がノイズによる波高値の分だけ高エネルギー側にシフトする。従って、波高分布調整部２３が差分を用いて判定を行う場合、ノイズによる波高値をキャンセルした上で判定を行うことができる。
【００５８】
本実施形態に係る中性子線検出装置１００は、中性子線を検出する中性子線検出装置１００であって、放射線が入射すると光を発生させるシンチレータ１３と、シンチレータ１３で発生した光を伝送する光ファイバー１４と、光ファイバー１４によって伝送された光を受光し、受光した光に関する検出信号の波高が判定閾値を超えた場合に、検出信号を中性子線Ｎに関する信号として弁別する弁別部と、を備え、弁別部の波高分布調整部２３は、波高分布における中性子線Ｎによるピークを検出し、ピークにおける波高μが予め定めた範囲から外れた場合、ピークにおける波高μ１が予め定めた範囲内となるように、波高分布全体をエネルギー方向に拡大又は縮小して調整し、線量算出部２１は、調整後の波高分布において、判定閾値ｘ０を超えた波高の検出信号を中性子線に関する信号として弁別する。
【００５９】
この中性子線検出装置１００によれば、上述の中性子捕捉療法システム１５０と同様の作用・効果を得ることができる。
【００６０】
本発明は、前述した実施形態に限定されず、本発明の要旨を逸脱しない範囲で、下記のような種々の変形が可能である。
【００６１】
例えば、シンチレータ１３が配置される場所は、コリメータ１０内に限定されずその他の場所でもよい。シンチレータは例えばコリメータ１０の下流に配置されていてもよく、患者の表面（被照射部の近傍）に配置されていてもよい。
【００６２】
また、上記の実施形態では、σに対する係数ａを１．５とし、中性子線Ｎによるピークの波高μから１．５σ低い値を判定閾値ｘ０として調整しているが、その他の値となるように判定閾値ｘ０を変更してもよい。例えば、中性子線Ｎによるピークの波高μからσ低い値を判定閾値ｘ０とした場合には、中性子線Ｎの検出効率は８４．１％であった。中性子線Ｎによるピークの波高μから１．５σ低い値を判定閾値ｘ０とした場合には、中性子線Ｎの検出効率は９３％であった。また、中性子線Ｎによるピークの波高μから２σ低い値を判定閾値ｘ０とした場合には、中性子線Ｎの検出効率は９９．８％であった。このように、中性子線Ｎによるピークの波高μからσ低い値を判定閾値ｘ０としてもよく、中性子線Ｎによるピークの波高μから２σ低い値を判定閾値ｘ０としてもよく、その他の値低い判定閾値ｘ０でもよい。
【００６３】
また、上記実施形態では、波高分布にガウス関数をフィッティングして中性子線によるピーク検出しているが、その他の関数を用いて波高分布を近似して、中性子線によるピークを検出してもよい。
【００６４】
また、上記実施形態では、中性子線検出装置を中性子捕捉療法装置１に適用しているが、中性子線検出装置の用途は限定されない。例えば、原子炉の運転状態を監視するモニタとして、本発明の中性子線検出装置を適用してもよい。また、物理実験で使用される加速中性子を測定する際に本発明の中性子線検出装置を使用してもよい。また、非破壊検査用の中性子照射装置において、本発明の中性子線検出装置を使用してもよい。
【符号の説明】
【００６５】
１…中性子捕捉療法装置（中性子線照射装置）、１２…中性子線検出器、１３…シンチレータ、１４…光ファイバー、１５…光検出器（弁別部）、２０…制御部、２１…線量算出部（弁別部）、２３…波高分布調整部（弁別部）、１００…中性子線検出装置、１５０…中性子捕捉療法システム、Ｎ…中性子線。
【図１】
2019154989.tif 000004
【図２】
2019154989.tif 000005
【図３】
2019154989.tif 000006
【図４】
2019154989.tif 000007
【図５】
2019154989.tif 000008